(57)【要約】      （修正有）【課題】凸形または尾びれ形ロック孔の電子機器に共通使用でき、施錠後も電子機器を正常使用でき、施錠、解錠の動作が非常に簡単な電子機器のロック錠を提供する。【解決手段】ロック錠は、本体１０と、ロック芯２０と、頂部バー３０と、二つのロック部材４０とを含む。本体には前、後が互いに接続する蓋１１と収容筒１２があり、収容筒の内部に未施錠の常態においてロックピン２１が収容筒の後端より伸びるロック芯が取り付けられ、ロック芯の前方には収容筒内にロックピンと連結して連動される頂部バーが設けられる。頂部バーの前方には徐々に縮小する円錐状部３２が伸び、ロック部材は適当に湾曲して予め角度が設けられて連接する第一本体部４１と第二本体部を有し、第一本体部の前方にはロックブロック４３が外側へ突出され、第二本体部の後方には枢接部４４が設けられる。【選択図】図２
0003220111.tif 000002
【実用新案登録請求の範囲】
【請求項１】
本体と、ロック芯と、頂部バーと、二つのロック部材とを含む電子機器のロック錠であって、
本体には前、後が互いに接続する蓋と収容筒があり、上記収容筒の内部には未施錠の常態においてロックピンが上記収容筒の後端より伸びる上記ロック芯が取り付けられ、上記ロック芯の前方は上記収容筒内に上記ロックピンと連結して連動される上記頂部バーが設けられ、上記頂部バーは上記ロック芯が解錠される時に上記ロックピンによって後ろへ完全に上記本体中に連動され、あるいは上記ロック芯が施錠される時に上記ロックピンの押し出しによって、前部が適度に上記蓋の中央にある通過孔より突き出され、上記蓋の内部には上記通過孔の両側にそれぞれ枢接ベースが設けられ、また上記本体の外周には回転リングの嵌め込みによって上記回転リングを経由してケーブルが連接され、
頂部バーの後方には上記ロックピンと連接される組立部があり、前方には徐々に縮小する円錐状部が伸び、
ロック部材には適当に湾曲され、予め角度が設けられて連接する第一本体部と第二本体部があり、上記第一本体部の前方では外側表面があるロックブロックが外へ突出され、第二本体部の後方は枢接部が設けられ、二つのロック部材の枢接部によって上記蓋の二つの枢接ベースとそれぞれ枢接されることで、上記二つのロック部材は上記本体の蓋においてそれぞれ取り付けられ、それを取り付けられた後、二つのロック部材は上記ロックブロックがある一端部によって上記蓋の通過孔より突き出され、上記頂部バーは上記円錐状部によって上記二つのロック部材の第二本体部の間に穿設され、また上記二つのロック部材には共通な弾性リングが嵌められ、上記弾性リングの弾力によって自動的に連れ戻され、未施錠の常態において上記二つのロック部材を戻り止めして、それぞれ第一本体部によって互いに接近されることを特徴とする電子機器のロック錠。
【請求項２】
上記蓋の後方は縮径して頸部が伸び、上記頸部を上記収容筒に差し込んでから挿し込みピンを挿入することで、上記蓋と上記収容筒がスムーズに接続されることを特徴とする請求項１の電子機器のロック錠。
【請求項３】
上記蓋の前方には衝撃防止リングが結合されることを特徴とする請求項１の電子機器のロック錠。
【請求項４】
上記収容筒内には上述ロックピンの両側にそれぞれ上記ロックピンが水平に位置移動することを制限できるガイドブロックが設けられることを特徴とする請求項１の電子機器のロック錠。
【請求項５】
上記ロック芯はキーロック芯であることを特徴とする請求項１の電子機器のロック錠。
【請求項６】
上記ロックブロックの外側表面は切り出し辺であり、上記切り出し辺の設置によって回避が行われ、上記ロック錠が凸形ロック孔または尾びれ形ロック孔において適用されることを特徴とする請求項１の電子機器のロック錠。
【請求項７】
上記弾性リングはＯ形のゴムリングであることを特徴とする請求項１の電子機器のロック錠。
【考案の詳細な説明】
【技術分野】
【０００１】
本考案は電子機器のロック錠に関し、特にノートパソコン、タブレットパソコン等の電子機器に対してロックしてセキュリティを果たすロック錠構造に関する。
【背景技術】
【０００２】
科学技術のおかげで、ノートパソコン、タブレットパソコン等の電子機器のデザインは軽く、薄く、小さいという傾向にある。しかし、ノートパソコン、タブレットパソコン等の電子機器が軽く、薄く、一瞬で持ち去られるデザインのため、窃盗の対象になりやすい。特に人の多い場所、あるいは無人の事務所の中、上述のような状況はよく見られる。このため、ノートパソコンまたはタブレットパソコン等の電子機器に対してロックできるロック錠構造が開発できれば、上述の電子機器は一時的に確実に守られるため、上述の電子機器は不注意によって盗まれることが避けられ、また該ロック錠は施錠した後でも上述の電子機器は通常通りに使用できるように干渉せず、さらに凸形ロック孔または尾びれ形ロック孔など異なるロック孔の間で共通使用できることは本考案者が改良したい問題点である。
【０００３】
従って、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００４】
本考案が解決しようとする課題は、従来の技術問題点を解決し、電子機器のロック錠を提供する。
【課題を解決するための手段】
【０００５】
本考案の電子機器のロック錠は、本体と、ロック芯と、頂部バーと、二つのロック部材とを含む。その中、本体には前、後が互いに接続する蓋と収容筒があり、該収容筒の内部には未施錠の常態においてロックピンが該収容筒の後端より伸びる上述ロック芯が取り付けられ、上述ロック芯の前方は該収容筒内に上述ロックピンと連結して連動される上述頂部バーが設けられる。該頂部バーは上述ロック芯が解錠される時に上述ロックピンによって後ろへ完全に上述本体中に連動される。あるいは上述ロック芯が施錠される時に上述ロックピンの押し出しによって、前部が適度に上述蓋の中央にある通過孔より突き出される。上述蓋の内部は上述通過孔の両側にそれぞれ枢接ベースが設けられ、また該本体の外周は回転リングの嵌め込みによって上述回転リングを経由してケーブルが連接される。頂部バーの後方には上述ロックピンと連接される組立部があり、前方には徐々に縮小する円錐状部が伸びる。ロック部材は適当に湾曲され、予め角度が設けられて連接する第一本体部と第二本体部がある。該第一本体部の前方は外側表面があるロックブロックが外へ突出され、第二本体部の後方は枢接部が設けられる。二つのロック部材の枢接部によって上述蓋の二つの枢接ベースとそれぞれ枢接されることで、上述二つのロック部材は上述本体の蓋においてそれぞれ取り付けられる。それを取り付けられた後、二つのロック部材は上述ロックブロックがある一端部によって上述蓋の通過孔より突き出される。上述頂部バーは上述円錐状部によって該二つのロック部材の第二本体部の間に穿設される。また該二つのロック部材には共通な弾性リングが嵌められ、該弾性リングの弾力によって自動的に連れ戻され、未施錠の常態において上述二つのロック部材を戻り止めして、それぞれ第一本体部によって互いに接近される。これによって、電子機器のロック錠が構成される。
【０００６】
本考案の従来技術に対する効果は以下の通りである。
【０００７】
（一）本考案の電子機器のロック錠では、上述ロック錠のロックを利用すれば、ノートパソコン、タブレットパソコン等の電子機器が不意に盗まれることが避けられ、上述電子機器の使用時に高いセキュリティ性が得られる。
【０００８】
（二）本考案の電子機器のロック錠では、そのロック錠は凸形ロック孔の電子機器または尾びれ形ロック孔がある電子機器に使用できるため、汎用的なデザインが実現できる。
【０００９】
（三）本考案の電子機器のロック錠では、そのロック錠は施錠した後でも電子機器を正常使用することに影響をもたらさず、また該ロック錠の施錠、解錠の動作が非常に簡単であるため、使用上において優れた利便性が得られる。
【図面の簡単な説明】
【００１０】
【図１】図１は、本考案に係る電子機器のロック錠を示す立体組立図である。
【図２】図２は、本考案に係る電子機器のロック錠を示す立体分解図である。
【図３】図３は、本考案が凸形ロック孔に差し込んだ時の動作図である。
【図４】図４は、本考案が施錠した時の立体図である。
【図５】図５は、本考案が凸形ロック孔で施錠を完成した状態を示す図である。
【図６】図６は、本考案が尾びれ形ロック孔に差し込んだ時の動作図である。
【図７】図７は、本考案が尾びれ形ロック孔で施錠を完成した状態を示す図である。
【考案を実施するための形態】
【００１１】
まず、図１から図３を参照されたい。本考案の電子機器のロック錠は、本体１０と、ロック芯２０と、頂部バー３０と、二つのロック部材４０とを含む。その中、本体１０には前、後が互いに接続する蓋１１と収容筒１２があり、該収容筒１２の内部には未施錠の常態においてロックピン２１が該収容筒１２の後端より伸びる上述ロック芯２０が取り付けられ、上述ロック芯２０の前方には該収容筒１２内に上述ロックピン２１と連結して連動される上述頂部バー３０が設けられる。該頂部バー３０は上述ロック芯２０が解錠される時に上述ロックピン２１によって後ろへ完全に上述本体１０中に連動される。あるいは上述ロック芯２０が施錠される時に上述ロックピン２１の押し出しによって、前部が適度に上述蓋１１の中央にある通過孔１１１より突き出される。上述蓋１１の内部には上述通過孔１１１の両側にそれぞれ枢接ベース１１２が設けられ、また該本体１０の外周には回転リング１３の嵌め込みによって上述回転リング１３を経由してケーブル１４が連接される。頂部バー３０の後方には上述ロックピン２１と連接される組立部３１があり、前方には徐々に縮小する円錐状部３２が伸びる。ロック部材４０は適当に湾曲され、予め角度が設けられて連接する第一本体部４１と第二本体部４２がある。該第一本体部４１の前方では外側表面４３１があるロックブロック４３が外へ突出され、第二本体部４２の後方には枢接部４４が設けられる。二つのロック部材４０の枢接部４４によって上述蓋１１の二つの枢接ベース１１２とそれぞれ枢接されることで、上述二つのロック部材４０は上述本体１０の蓋１１においてそれぞれ取り付けられる。それを取り付けられた後、二つのロック部材４０は上述ロックブロック４３がある一端部によって上述蓋１１の通過孔１１１より突き出される。上述頂部バー３０は上述円錐状部３２によって該二つのロック部材４０の第二本体部４２の間に穿設される。また該二つのロック部材４０は共通な弾性リング５０が嵌められ、該弾性リング５０の弾力によって自動的に連れ戻され、未施錠の常態において上述二つのロック部材４０を戻り止めして、それぞれ第一本体部４１によって互いに接近される。
【００１２】
上述蓋１１の後方は縮径して頸部１１３が伸び、該頸部１１３を上述収容筒１２に差し込んでから挿し込みピンを挿入することで、上述蓋１１と上述収容筒１２がスムーズに接続される。
【００１３】
上述蓋１１の前方には衝撃防止リング１５が結合される。
【００１４】
上述収容筒１２内には上述ロックピン２１の両側にそれぞれ上述ロックピン２１が水平に位置移動することを制限できるガイドブロック１２１が設けられる。
【００１５】
上述ロック芯２０はキーロック芯である。
【００１６】
上述ロックブロック４３の外側表面４３１は切り出し辺であり、該切り出し辺の設置によって回避が行われ、上述ロック錠が凸形ロック孔６１または尾びれ形ロック孔６２において適用される。
【００１７】
上述弾性リング５０はＯ形のゴムリングである。
【００１８】
実際に使用する時、上述ロック錠はロックブロック４３の突出した側によって電子機器６０の凸形ロック孔６１に差し込み（同時に図３を参照されたい）、ロック芯２０が施錠する時ロックピン２１の押さえに合わせて、該ロックピン２１によって頂部バー３０の前部を押し動し、上述蓋１１の通過孔１１１より突き出される。突き出される時、上述円錐状部３２によって同時に二つの第一本体部４１が開くように戻り止めして（同時に図４を参照されたい）、上述の二つのロックブロック４３が該凸形ロック孔６１をロックでき（同時に図５を参照されたい）、上述電子機器６０が施錠してセキュリティの目的が果たせられる。該ロックピン２１、頂部バー３０、円錐状部分３２とロック部材４０の組み合わせによって、該ロック錠は本体に魚尾びれ錠ロック孔６２がある電子機器６０にも使用できるため、該電子機器６０は同様な施錠セキュリティが得られる（同時に図６と図７を参照されたい）。解錠する時、上述ロックピン２１は上述本体１０の後方へ後退するため、ロック部材４０は弾性リング５０の弾力によって元の位置に連れ戻されて、二つの第一本体部４１が互いに接触する状態になる。上述頂部バー３０は同時に二つの第二本体部４２の間に後退でき、上述円錐状部分３２と上述二つの第二本体部４２の接触作用によって、次回施錠する時にスムーズに二つの第一本体部４１が開くように戻り止めできる。
【００１９】
上述電子機器ロック錠は以下の利点がある。（一）上述ロック錠のロックを利用すれば、ノートパソコン、タブレットパソコン等の電子機器６０が不意に盗まれることが避けられ、上述電子機器６０が使用時に高いセキュリティ性が有される。（二）そのロック錠は凸形ロック孔６１がある電子機器６０または尾びれ形ロック孔６２がある電子機器６０に使用できるため、通用式のデザインが果たせられる。（三）そのロック錠は施錠した後でも電子機器６０が正常使用することに影響をもたらさず、また該ロック錠の施錠、解錠の動作が非常に簡単であるため、使用上において優れた利便性が果たせられる。
【００２０】
以上は、本考案に係る実施例の一部に過ぎないため、本考案の実施範囲を制限するものではない。即ち、本考案の実用新案登録請求の範囲内で行われる変化、修飾なども本考案の範囲に属すべきである。
【符号の説明】
【００２１】
本考案：
１０              本体
１１              蓋
１１１            通過孔
１１２            枢接ベース
１１３            頸部
１２              収容筒
１２１            ガイドブロック
１３              回転リング
１４              ケーブル
１５              衝撃防止リング
２０              ロック芯
２１              ロックピン
３０              頂部バー
３１              組立部
３２              円錐状部
４０              ロック部材
４１              第一本体部
４２              第二本体部
４３              ロックブロック
４３１            外側表面
４４              枢接部
５０              弾性リング
６０              電子機器
６１              凸形ロック孔
６２              尾びれ形ロック孔
【図１】
0003220111.tif 000003
【図２】
0003220111.tif 000004
【図３】
0003220111.tif 000005
【図４】
0003220111.tif 000006
【図５】
0003220111.tif 000007
【図６】
0003220111.tif 000008
【図７】
0003220111.tif 000009